(57)【要約】【課題】簡易な構成で、帳票整理を良好かつ効率的に行うことを可能とする。【解決手段】貼付用台紙１に、碁盤の目状に仕切るようにして複数の仕切マス１ａを形成し、それらの仕切マス１ａを構成している複数の行１ｘ及び列１ｙのうちの端部に位置する行１ｘ又は列１ｙからなる仕切マスに１ａ単位日数分の日付を連続的に記載しておき、それらの各日付を含む行１ｘ又は列１ｙを構成している各仕切マス１ａの外形線を位置合わせとして行１ｘ又は列１ｙの方向に順次ずらして帳票Ｓの貼り付けを行うことによって、当該日付に対応する複数枚の帳票Ｓが行１ｘ又は列１ｙのいずれかの方向に沿って整理された状態に容易に貼り付けられるとともに、個々の帳票Ｓが容易に確認され、また貼付用台紙１を内方側に折り曲げておくことにより貼付用台紙１に合わせた大きさとなるように整理されるように構成したものである。【選択図】図２
2011213062.tif 000002
【特許請求の範囲】
【請求項１】
整理すべき帳票を日付毎に仕分けして貼り付ける貼付用台紙からなる帳票整理シートにおいて、
前記貼付用台紙には、複数の行と列とにより碁盤の目状に仕切られて形成された複数の仕切マスが配置され、
それらの仕切マスを構成している複数の行及び列のうちの端部に位置する行又は列を構成している仕切マスに、単位日数分の日付が連続的に記載されたものであって、
前記日付が記載された仕切マスを含む行又は列を構成している各仕切マスの外形線を位置合わせとして前記帳票の貼り付けを行うように構成されていることを特徴とする帳票整理シート。
【請求項２】
前記仕切マスを構成している複数の列のうちの左端部に位置する列を構成している仕切マスに、一ヶ月分の日付が下から上に向かって連続的に進むように記載されていることを特徴とする請求項１記載の帳票整理シート。
【請求項３】
前記仕切マスの外形線が、灰色線から形成されていることを特徴とする請求項１記載の帳票整理シート。
【発明の詳細な説明】
【技術分野】
【０００１】
本発明は、領収書や伝票等の帳票を日付毎に仕分けして整理するための帳票整理シートに関する。
【０００２】
一般に、会計や経理等に使用される領収書や伝票類からなる各種帳票を、例えば一ヶ月分のような単位日数分にわたって整理するにあたっては、その単位日数分の帳票を重ね合わせて一緒に輪ゴムやクリップで止めたり、袋状のファイル内にまとめて収納したりすることが行われている。
【０００３】
しかしながら、このような一般に行われている帳票整理作業では、複数の帳票のそれぞれに記載されている日付や金額等の内容が確認しづらくなってしまい、帳票からの転記や入力、或いは検索・確認等の作業が煩雑なものとなっている。また、まとめた後の帳票が一定の大きさに整理することができないことから、収納を良好に行うことが難しいという問題もある。
【先行技術文献】
【特許文献】
【０００４】
【特許文献１】特開平９−３１５０３９号公報
【特許文献２】特開平１１−１０７７号公報
【特許文献３】特開平１１−３４８４５４号公報
【特許文献４】特開２００６−２１５１２４号公報
【発明の開示】
【発明が解決しようとする課題】
【０００５】
そこで本発明は、簡易な構成で、帳票の整理を良好かつ効率的に行うことが出来るようにした帳票整理シートを提供することを目的とする。
【課題を解決するための手段】
【０００６】
上記課題を解決するために本発明では、整理すべき帳票を日付毎に仕分けして貼り付ける貼付用台紙からなる帳票整理シートにおいて、前記貼付用台紙には、複数の行と列とにより碁盤の目状に仕切られて形成された複数の仕切マスが配置され、それらの仕切マスを構成している複数の行及び列のうちの端部に位置する行又は列を構成している仕切マスに、単位日数分の日付が連続的に記載されたものであって、前記日付が記載された仕切マスを含む行又は列を構成している各仕切マスの外形線を位置合わせとして前記帳票の貼り付けを行う構成が採用されている。
【０００７】
このような構成を有する帳票整理シートによれば、特定の日付に対応する行又は列を構成する仕切マスを位置決めに使用して帳票の貼り付けを行うことにより、当該日付に対応する複数枚の帳票が行又は列のいずれかの方向に沿って整頓された状態に容易に貼り付けられるとともに、それら貼り付けられた後の各帳票は、行又は列の方向に順次ずらされた状態に配列された状態になされることから、個々の帳票に記載されている日付や金額等の内容が容易に確認されるようになっている。
【０００８】
さらに、貼付用台紙の外端縁から外方にはみ出した帳票を、貼付用台紙の内方側に格納するように折り曲げることによって、単位日数分の全ての帳票が、貼付用台紙の外形状に合わせた大きさとなるように整頓される。
【０００９】
また、本発明においては、前記仕切マスを構成している複数の列のうちの左端部に位置する列を構成している仕切マスに、一ヶ月分の日付が下から上に向かって連続的に進むように記載されていることが望ましい。
【００１０】
このような構成を有する帳票整理シートによれば、該当する日付に対応する仕切マスに対して帳票を貼り付ける際に、既に貼り付けられている帳票の上方に位置する仕切マスが利用されることとなるため、貼り付けに使用する仕切マスが既貼付の帳票に隠されてしまうことなく良好に視認された状態で貼り付けが行われる。
【００１１】
また、同じ日付の複数枚の帳票は、行方向に並列する仕切マスに沿って横方向にずらされた状態で貼り付けられることから、帳票の貼り付け作業及び確認作業が、横、縦、横の順、すなわち人間工学で言う、いわゆるＦの法則に従って行われることとなり、帳票の整理作業が容易かつ正確に行われる。
【００１２】
また、本発明においては、前記仕切マスの外形線が灰色線から形成されていることが望ましい。
【００１３】
このような構成を有する帳票整理シートによれば、仕切マスの外形線が目立たなくなることから、帳票の文字の認識が容易に行われることとなり、帳票の整理作業が容易かつ正確に行われる。
【発明の効果】
【００１４】
以上述べたように本発明にかかる帳票整理シートは、碁盤の目状に仕切るようにして複数の仕切マスを貼付用台紙に形成し、それらの仕切マスを構成している複数の行及び列のうちの端部に位置する行又は列からなる仕切マスに単位日数分の日付を連続的に記載しておき、各日付を含む行又は列を構成している各仕切マスの外形線を位置合わせとして行又は列の方向に順次ずらしながら帳票の貼り付けを行うことによって、当該日付に対応する複数枚の帳票が行又は列のいずれかの方向に沿って整理された状態に容易に貼り付けられるとともに、個々の帳票に記載されている日付や金額等の内容が容易に確認され、また、貼付用台紙の端縁から外方にはみ出した帳票を、その貼付用台紙の内方側に格納するように折り曲げておくことにより、単位日数分の全ての帳票が貼付用台紙に合わせた大きさとなるように整理される構成を採用したものであるから、簡易な構成で、帳票整理を良好かつ効率的に行うことが出来、会計や経理等における事務作業性を安価かつ大幅に高めることが出来る。
【図面の簡単な説明】
【００１５】
【図１】本発明の一実施形態における帳票整理シートの構成を表した平面説明図である。
【図２】図１に示された帳票整理シートに対して帳票を順次貼り付けていく途中状態を表した平面説明図である。
【図３】図１に示された帳票整理シートに対する帳票の貼り付けを完了した状態を表した平面説明図である。
【図４】本発明の他の実施形態における帳票整理シートの構成を表した平面説明図である。
【発明を実施するための最良の形態】
【００１６】
以下、本発明の実施の形態を図面に基づいて詳細に説明する。
【００１７】
まず、図１に示されている実施形態にかかる帳票整理シートは、整理すべき領収書や伝票等からなる帳票を貼付用台紙１に貼り付ける構成になされているが、本実施形態にかかる貼付用台紙１は、例えばＡ４の大きさとなるように形成されており、横長状に使用される。
【００１８】
その貼付用台紙１には、縦横の罫線が多数本にわたって碁盤の目状に描かれており、それら多数の罫線によって、複数の行１ｘ１，１ｘ２，・・・，１ｘｋ，・・・，１ｘｎ、及び複数の列１ｙ１，１ｙ２，・・・，１ｙｋ，・・・，１ｙｎが形成されている。そして、それらの各行１ｘｋと列１ｙｋとで仕切られるようにして複数の仕切マス１ａが多数個にわたって形成されている。それらの各仕切マス１ａの外形線を構成している罫線は、本実施形態では黒色よりやや薄い色の灰色線（灰色５０％）が採用されている。
【００１９】
また、上述した各仕切マス１ａを構成している複数の列１ｙｋのうちの左端部に位置する第一番目の列１ｙ１の各仕切マス１ａには、単位日数分、より具体的には一ヶ月分の日付（１日〜３１日）が連続的に記載されている。すなわち、本実施形態における行の数ｎは３１（ｎ＝３１）に設定されており、それらの３１個の仕切マス１ａに記載された日付（１日〜３１日）が、下から上に向かって日付が連続的に進むように配置されていて、最下端の１日から最上端の３１日まで記載されている。また、それらの各日付に対応した曜日が括弧書きで付記されている。なお、列の数ｎは、整理すべき帳票の数に対応して適宜の数に設定することが可能である。
【００２０】
そして、上述したようにして日付が記載された第一番目の列１ｙ１の各仕切マス１ａを含む各行には、各日付毎に適宜の数の仕切マス１ａが右横方向に沿って並列されている。そして、例えば図２に示されているように、各日付に対応して配置された各仕切マス１ａに沿って、該当する日付を有する領収書や伝票等からなる帳票Ｓが、日付順に貼り付けられる。図２では、二点鎖線、破線、一点鎖線の順で貼り付けられるようになっている。そのときの各帳票Ｓの貼り付け作業は、各仕切マス１ａの外形線を位置合わせとして円滑に行われる。
【００２１】
このような構成を有する帳票整理シートによれば、特定の日付に対応する行１ｘ又は列１ｙを構成する仕切マス１ａを位置決めに使用して帳票Ｓの貼り付けを行うことにより、当該日付に対応する複数枚の帳票Ｓが行１ｘ方向に沿って整頓された状態に容易に貼り付けられる。そして、それらの貼り付けられた後の各帳票Ｓは、行１ｘ方向に順次ずらされた状態に配列された状態になされることから、個々の帳票Ｓに記載されている日付や金額等の内容が容易に確認されるようになっている。
【００２２】
さらに、このような帳票Ｓの貼り付けの途中、又は貼り付け後に、貼付用台紙１の外端縁から外方（下方や右方）にはみ出した帳票Ｓの余分な部分を、例えば図３中の矢印で示されているように、貼付用台紙１の内方側に格納するように折り曲げておくことによって、単位日数分（一ヶ月分）の全ての帳票Ｓが、貼付用台紙１の外形状に合わせた大きさとなるように整頓されることとなる。なお、図３には、多数の帳票Ｓのうちの貼り付け始めと終わりのものが表されており、その途中に貼り付けられた帳票は省略している。
【００２３】
また、本実施形態では、仕切マス１ａを構成している複数の列１ｙのうちの左端部に位置する列１ｙ１を構成している仕切マス１ａに、一ヶ月分の日付（１〜３１）が、下から上に向かって連続的に進むように記載されていることから、該当する日付に対応する仕切マス１ａに対して帳票Ｓを貼り付ける際に、既に貼り付けられている帳票Ｓの上方に位置する仕切マス１ａが利用されることとなるため、貼り付けに使用する仕切マス１ａが既貼付の帳票に隠されてしまうことなく良好に視認された状態で貼り付けが行われる。また、同じ日付を有する複数枚の帳票Ｓは、行１ｘ方向に並列する仕切マス１ａに沿って横方向にずらされた状態で貼り付けられることから、各帳票Ｓの貼り付け作業及び確認作業が、横、縦、横の順、すなわち人間工学で言う、いわゆるＦの法則に従って行われることとなり、帳票の整理作業が容易かつ正確に行われる。
【００２４】
さらに、本実施形態では、仕切マス１ａの外形線が、灰色線から形成されていることから、仕切マス１ａの外形線が目立たなくなって帳票の文字の認識が容易に行われることとなり、帳票の整理作業が容易かつ正確に行われる。
【００２５】
また、図４に示されている第２の実施形態は、貼付用台紙１を縦長に使用したものであり、このような構成としれも同様な作用・効果が得られる。
【００２６】
以上、本発明者によってなされた発明の実施形態を具体的に説明したが、本発明は上記実施形態に限定されるものではなく、その要旨を逸脱しない範囲で種々変形可能であるというのはいうまでもない。
【００２７】
例えば、上述した実施形態では、日付が下から上に向かって進むように構成されているが、それとは逆に、日付が上から下に向かって進む構成とすることも可能であり、また、それらの日付は、縦横、上下、いずれの端部に沿っても設けることが可能である。
【００２８】
また、上述した実施形態では、Ａ４サイズの貼付用台紙が採用されているが、Ａ４サイズ以外の貼付用台紙を用いることも当然に可能である。
【符号の説明】
【００２９】
１  貼付用台紙
１ｘ  行
１ｙ  列
１ａ  仕切マス
Ｓ  帳票
【図１】
2011213062.tif 000003
【図２】
2011213062.tif 000004
【図３】
2011213062.tif 000005
【図４】
2011213062.tif 000006